(57)【要約】【課題】本発明は、回転表示体を有するコップに関する。【解決手段】 本発明は回転体を有するコップにおいてコップの下端部にソーラーバッテリー（Solar  Battery）を設け、同極反発磁力を利用した磁気浮上式回転体を装着し、コップを伏せて置くと電源が遮蔽される電源遮蔽器を設けることによって、コップを使用する場合には引き続き発光体が発光しながら、回転表示体が一定速度で回転することになり、同極反発磁力を利用するため回転体の力の伝達が正確であり回転軸の損傷がなく、コップを使用しない場合にはコップを伏せて置くと電源が遮蔽され放電が遮断されるためその寿命が長くなる。また、ソーラーバッテリーを使用するため少ない光によっても充電されコップを半永久的に使用することができるので使用者に特別な感じを与えることができる回転表示体を有するコップを提供する。【選択図】図１
2006271905.tif 000002
【特許請求の範囲】
【請求項１】
上端が開口した透明材質の本体１１内の下部に空間部１２を設け、該空間部１２には電動モータと減速ギアが内臓されたムーブメント１５と下端が開口した円筒状の回転表示体１３を設け、前記回転表示体１３の上端面と外周面が本体１１の外部へ露出するようにした回転表示体を有するコップにおいて、
コップ１０の底板１４の外部は六角形または八角形の形状に壁面を構成し、その壁面にはソーラーバッテリー１６を付設し、前記底板１４の内部の一側には電源遮蔽器を形成し、
前記ムーブメント１５の周面にはソーラーバッテリー１６から供給される電源によって発光動作する所定個数の発光体２１を形成し、
前記回転表示体１３の周面には前記発光体２１から発光される光が外部へ伝達されるように多数個の光通過孔２２を所定間隔で形成し、
前記ムーブメント１５内にはソーラーバッテリー１６の電源供給を受けて磁石１３Ｂを回転させることができるように回転軸１９が形成された小型モータを内臓し、
磁石１３Ｂと同一の極を有し、回転表示体１３と結合される回転軸１７を有する磁石１３Ａを設け、前記の磁石１３Ａ、１３Ｂをかぶせる磁石蓋１３Ｃを形成することを特徴とする回転表示体を有するコップ。
【発明の詳細な説明】
【技術分野】
【０００１】
本発明は、回転体を有するコップに関する。特に、透明材質のコップの下部に空間部を備え、前記空間部に下端が開口した中空状の回転体を一方向に回転可能にする回転体を有するコップにおいて、周囲が暗い場合、または、コップを使用していない場合には、その回転体の回転が停止するようにする回転体を有するコップに関するものである。
【背景技術】
【０００２】
一般に、水や飲み物を受けるようになっているコップは、ガラス、合成樹脂、金属などの多様な材質を使用して円筒形、四角形、ベル形、三角形などの様々な形状に製造され、その外周面には多様な図形などが一体的に表現または印刷され美麗なデザインをしているが、下端が密閉され上端が開口した単純な円筒状の透明材質のコップが主に使用されている。
【発明の開示】
【発明が解決しようとする課題】
【０００３】
しかしながら、このような透明材質の単純な円筒形のコップはその機能性や美的センスが不充分であり、その不十分な点を埋め合わせるためにその表面に流行のキャラクタ模様などを表現する面倒がある。キャラクタ模様をコップの表面に表示しなければ、赤ん坊を含めたほとんどの子供たちはそれを使いたがらない場合が多く、来客に出す場合にも水や飲み物を受ける単なる手段として使用されるだけである。
【０００４】
一方、酒類会社や、牛乳会社、飲料会社などのコップを利用して液状製品を販売する会社では、その製品を宣伝するために透明材質の単純な円筒形のコップを販促用コップとして無料で提供しているが、このような透明材質の単純な円筒形のコップを販促物として提供する場合には、コップの外週面に会社名や商標などの文字や図形をラベルに印刷して貼ったりその外周面に直接印刷するのが一般的である。
【０００５】
しかし、上記のようにコップの外周面に文字や図形を直接印刷するか、またはラベルを貼って静的に広告する場合には、使用者が思わず広告内容を見るだけであり、使用者の関心を誘って引き続き使用者の視線を引き付けるのは困難であるためその広告効果が低くなる短所がある。
【０００６】
即ち、従来の販促用コップの外周面に印刷される広告内容はその動きが全然ないため、消費者の関心を引く効果は創出することができなかった。
【０００７】
上記のような従来の問題点を解消するために、コップが地面と密着される場合や、周囲の明るさが暗い場合には回転体の回転を停止させる一方、ムーブメントの外周面には別途の電源から電源供給を受けて発光する発光体を所定間隔で形成した後、その発光体の発光はコップの持ち上げた（空中浮揚）時、タイマによって設定された一定時間（約２〜４秒）だけ発光させ、コップが地面に密着されている場合や、照明がない暗い室内や夜間では、回転体の回転によるバッテリーの電力消耗を最小限にできる一方、コップを持ち上げてから一定時間発光する発光体によって使用者に特別な感じを与えることができる回転体を有するコップが出願されているが、前記の先出願は一定期間が経つとバッテリーを交換しなければならない点、発光体の発光がコップを持ち上げた時、２〜４秒程度だけ発光するため持続性がない点、外部の小さい衝撃にも回転軸が損傷を受けて回転体が壁にぶつかることになると回転が不完全になるか、または回転が中止する点などの問題が発生され、本出願は上記のような先行出願の諸般問題点を改良した発明である。
【課題を解決するための手段】
【０００８】
即ち、本発明は、上記従来の発明が有する問題点を解決するために成されたものであって、回転体を有するコップにおいて、コップの下端部にソーラーバッテリー（Solar Battery）を設け、同極反発磁力を利用した磁気浮上式回転体を装着し、コップを伏せて置くと電源が遮蔽される電源遮蔽器を設けることによって、コップを使用する場合には引き続き発光体が発光しながら、回転表示体が一定速度で回転することになり、同極反発磁力を利用するため回転体の力の伝達が正確であり回転軸の損傷が全然なく、コップを使用しない場合にはコップを伏せて置くと電源が遮蔽され放電が遮断されるためその寿命が長くなる。また、ソーラーバッテリーを使用するため少ない光によっても充電されコップを半永久的に使用することができるのでいつでも使用者に特別な感じを伝達することができる回転表示体を有するコップを提供するためのものである。
【発明の効果】
【０００９】
以上説明したように、本発明はコップを使用しようとする時にはいつでも回転表示体が回転可能に準備されているだけでなく、ソーラーバッテリーを使用することによってバッテリーの交換が不必要であり、同極反発磁力を利用した磁気浮上式回転体を利用するため回転軸の損傷がなく、力の伝達が正確して一定の回転速度を維持することができ、コップを使用しない時には、コップを伏せて置くと電源が遮断され放電が起らないため常に充電状態が良好である。    
コップを使用する場合には引き続き発光体が発光しながら、回転表示体が一定速度で回転することによって使用者に神秘感を与え、特に、ソーラーバッテリーを使用することで少ない光によっても充電できるためコップを半永久的に使用することができ、いつでも使用者に特別な感じを与えられる効果を提供する。
【００１０】
本発明は、上記の実施例に限定されるものではなく、当業者による多様な変更が可能であり、こうした変更は特許請求の範囲に含まれるものである。
【発明を実施するための最良の形態】
【００１１】
以下、添付図面に基づいて、本発明の好ましい実施の形態について説明する。
【００１２】
図１は、本発明の実施形態に係る回転表示体を有するコップの構造を示す斜視図である。  
図２は、本発明の実施形態に係る回転表示体を有するコップの構造を示す分解斜視図である。  
図３は、本発明の実施形態に係る回転表示体を有するコップの構造を示す断面図である。  
図４は、本発明に係る回転表示体を有するコップの構造を示す平面図である。
【００１３】
図1乃至図４に示すように、上端が開口した透明材質の本体１１内の下部に空間部１２を設け、該空間部１２には電動モータと減速ギアが内臓されたムーブメント１５と下端が開口した円筒状の回転表示体１３を設け、前記回転表示体の１３の上端面と外周面が本体１１の外部へ露出するようにした回転表示体を有するコップにおいて、  
コップ１０の底板１４の外部は六角形または八角形の形状に壁面を構成し、その壁面にはソーラーバッテリー１６を付設し、前記底板１４の内部の一側には電源遮蔽器を形成し、
前記ムーブメント１５の周面にはソーラーバッテリー１６から供給される電源によって発光動作する所定個数の発光体２１を形成し、  
前記回転表示体１３の周面には前記発光体２１から発光する光が外部へ 伝達されるように多数個の光通過孔２２を所定間隔で形成し、  
前記回転表示体１３の内面には、ムーブメント１５にソーラーバッテリー１６から電源の供給を受けて磁石１３Ｂを回転させることができるように回転軸１９が形成された小型モータを内臓し、磁石１３Ｂと同一の極を有し、回転表示体１３と結合される回転軸１７を有する磁石１３Ａを設け、前記の磁石１３Ａ、１３Ｂをかぶせる磁石蓋１３Ｃを形成することを特徴とするものである。
【００１４】
ここで、前記底板１４を超音波溶接や螺子結合によってコップ１０の下端部に堅固に固定させ、前記空間部１２が確実に密閉されるようにした。
【００１５】
ここで、前記発光体２１は筒状のＬＥＤを適用した。
【００１６】
以下、未説明された図面符号１８は透明材質の内部底面である。
【００１７】
上記のように構成された本発明の実施形態の作用を添付図面(図１〜図４)を参照して以下に説明する。
【００１８】
先ず、図２に示すように回転表示体１３の上端面と周面にキャラクタ模様を印刷するか、または、図形や文字などの広告内容を表現しておく。
【００１９】
次に、電動モータと減速ギアはムーブメント１５の内部に内臓され、ムーブメント１５の周面には所定個数の発光体２１を有するムーブメント１５に内臓されたモータの回転軸１９によって前記回転表示体１３を接続する。
【００２０】
ここで、前記回転表示体１３の回転が可能するように電源を供給するソーラーバッテリー１６と、前記発光体２１の発光が可能するように電源を供給するソーラーバッテリー１６をムーブメント１５に連結させた状態で、前記ムーブメント１５はソーラーバッテリー１６と回転表示体１３を上端が開口した透明材質の本体１１内の下部空間部１２に収納する。
【００２１】
次に、前記空間部１２の下端部に底板１４を密着させ、前記底板１４の外壁面は六角形または八角形に形成して各壁面にソーラーバッテリー１６を形成し、前記底板１４の内部一側には電源遮蔽器２３を形成し、回転表示体１３の上端面と周面にはキャラクタ模様または図形および文字などの広告内容とマッチするように特定内容が印刷された表示板を載せることもでき、前記底板１４を超音波溶接または螺子結合などによって堅固に固着する。
【００２２】
これによると、前記底板１４の固着によってコップ１０の下端空間部１２は完全に密閉状態を維持することになり、図４に示すように前記コップ１０を使用する時ソーラーバッテリー１６の電源が供給されるムーブメント１５内のモータと磁石１３Ｂが回転軸１９に接続され、これに対応する磁石１３Ａと回転軸１７によって連結された回転表示体１３が一定の回転速度(たとえば、２０回/分)で回転しながら、その上端面と周面に表現された広告内容やキャラクタ模様などを外部に対する表現することができるだけでなく、底板１４の外部に表現することができるようになる。
【００２３】
即ち、前記回転表示体１３の回転からその上端面と周面には動的な広告内容を表現し、コップ１０の下面には動きが全然ない広告内容が表現されるようになる。
【００２４】
ここで、前記底板１４は螺子結合である場合には脱・付着を可能にすることもできる。これによって、底板１４の内部に内臓されたキャラクタ模様または図形や文字などの広告内容の交替が可能になる。
【００２５】
なお、前記回転表示体１３の内面にはムーブメント１５にソーラーバッテリー１６から電源供給を受けて磁石１３Ｂを回転させることができるように回転軸１９が形成された小型モータを内臓し、磁石１３Ｂと同一の極を有し、回転表示体１３と結合される回転軸１７を有する磁石１３Ａを設け、前記の磁石１３Ａ，１３Ｂが振れや振動しないように覆いかぶせる磁石蓋１３Ｃを形成し、  
その周面には前記発光体２１から発光する光が外部へ伝達されるように多数個の光通過孔２２を所定間隔で形成しておく。
【００２６】
こうすることによって、前記光通過孔２２は回転表示体１３の回転によってその位置が可変され、これによる前記発光体２１の発光から発生される光の外部透過は前記光通過孔２２の回転によって選択的に行われる。
【００２７】
即ち、前記発光体２１と回転する光通過孔２２が互いに同一線上に位置する場合には発光する光が外部透過するが、前記発光体２１と回転する光通過孔２２が互いに同一線上に位置しない場合にはその発光する光の外部透過が遮断される。
【００２８】
一方、前記回転表示体１３はコップ１０を使用しない状態では、コップ１０を伏せて置くと電源が遮断され、この時にはバッテリー１６の放電が起らないためいつも充電された状態を維持し、コップを使用しようとする場合にはいつでも回転表示体１３の回転が可能するように準備されている。
【図面の簡単な説明】
【００２９】
【図１】本発明の実施形態に係る回転体を有するコップの構造を示す斜視図である。
【図２】本発明の実施形態に係る回転体を有するコップの構造を示す分解斜視図である。
【図３】本発明の実施形態に係る回転体を有するコップの構造を示す断面図である。
【図４】本発明に係る回転体を有するコップの構造を示す平面図である。
【符号の説明】
【００３０】
１０；コップ
１１；本体
１２；空間部
１３；回転表示体
１３Ａ、１３Ｂ；磁石
１３Ｃ；磁石蓋
１４；底板
１５；ムーブメント
１６；ソーラバッテリー
１７；回転軸
１８；内部底面
１９；回転軸
２１；発光体
２２；光透過孔
２３；電源遮蔽器
【図１】
2006271905.tif 000003
【図２】
2006271905.tif 000004
【図３】
2006271905.tif 000005
【図４】
2006271905.tif 000006